(57)【要約】本発明は、自由な色温度変換が可能なＬＥＤランプおよびこれを用いたＬＥＤランプの色温度変換方法に関し、単色光または白色光ＬＥＤと、固定フィルタと、色温度変換用可動フィルタとから構成され、前記固定フィルタに対する前記色温度変換用可動フィルタのオーバーラップ領域を漸進的および可逆的に拡張および縮小可能に構成することで、使用者が所望の色温度および演色性を有する照明光を実現することができて、高い使用便宜性および経済性を有する。【選択図】  図１
2017526148.tif 000002
【特許請求の範囲】
【請求項１】
固定フィルタが装着された一定の色温度を有するＬＥＤ光源モジュールと；
前記固定フィルタに対するオーバーラップ（ｏｖｅｒｌａｐ）領域の漸進的な可逆的拡張および縮小が可能な色温度変換可動フィルタを有する色温度変換モジュールとから構成され、
前記色温度変換可動フィルタの前記固定フィルタに対するオーバーラップ領域の漸進的な拡張および縮小によって自由な色温度変換が可能なＬＥＤランプ。
【請求項２】
前記ＬＥＤ光源モジュールのＬＥＤが、白色ＬＥＤ、青色ＬＥＤ、紫色ＬＥＤ、または紫外線ＬＥＤである、請求項１に記載のＬＥＤランプ。
【請求項３】
前記固定フィルタが、透明ガラスまたは蛍光体コーティングガラス、または蛍光体含有モールディング樹脂または蛍光体コーティング樹脂であり、前記色温度変換可動フィルタが、蛍光体含有モールディング樹脂または蛍光体コーティング樹脂である、請求項１に記載のＬＥＤランプ。
【請求項４】
前記色温度変換可動フィルタは、複数のフィルタ片から構成される、絞り構造を有する、請求項１に記載のＬＥＤランプ。
【請求項５】
固定フィルタが装着された一定の色温度を有するＬＥＤ光源モジュールと；
色温度変換モジュールとから構成され、
ここで、前記色温度変換モジュールは、
内側に第１中央開口を有し、外側縁に複数の環状突起が相互離隔して形成され、内側縁に複数の第１固定突起が相互離隔して形成されたウェブ（ｗｅｂ）を有する外側ヒートシンクと；
相互離隔して位置する複数の環状水平突出部が形成された上部フランジと、複数の相互離隔した第２固定突起と前記複数の環状突起がそれぞれ嵌合する複数の相互離隔した環状ガイドスロットを有し、内側に第２中央開口を有する内向き枠と、前記内向き枠と前記上部フランジとを一体に連結し、内側に少なくとも１つの垂直突出顎が形成されている環状側壁とから一体に構成され、前記複数の環状水平突出部が前記リムの外部に突出して前記外側ヒートシンク内に装着される内側ヒートシンクと；
一側端部に前記第１固定突起が挿入されるホールおよび連結突起をそれぞれ有する複数のフィルタ片から構成され、絞り構造を形成する色温度変換用可動フィルタと；
前記複数のフィルタ片それぞれの連結突起と前記複数の第２固定突起それぞれとをリンク連結する複数のリンクと；
内側に第３中央開口を有し、前記垂直突出顎が噛み合う少なくとも１つの鋸歯部が側壁の外周縁部に形成されている凹部と、前記凹部上部のフランジとを有するカバーとから構成され、
前記外側ヒートシンクとカバーおよびループは、固定手段によって共に固定される一方、
前記外側ヒートシンクの環状水平突出部が嵌合した前記内側ヒートシンクの環状ガイドスロットの長さ内で前記内側ヒートシンクが正逆回転運動可能であるとともに、
前記内側ヒートシンクの垂直突出顎と前記カバーの鋸歯部との噛み合い移動によって内側ヒートシンクの正逆回転が微細調整可能であり、
前記内側ヒートシンクの正逆微細回転による前記外側ヒートシンクの第１固定突起および前記内側ヒートシンクの第２固定突起に連結された前記複数のフィルタ片の絞り運動によって、前記ＬＥＤ光源モジュールの固定フィルタに対する前記色温度変換モジュールの色温度変換用可動フィルタのオーバーラップ（ｏｖｅｒｌａｐ）領域の漸進的な可逆的拡張および縮小によって自由な色温度変換が可能なＬＥＤランプ。
【請求項６】
前記カバーが、前記複数の第１固定突起がそれぞれ嵌合する複数の相互離隔した環状ガイドスロットが形成されたレール部を有し、前記レール部は、前記凹部の底面の外周縁部から下向き延長後、内向き湾曲形成されている、請求項５に記載の自由な色温度変換が可能なＬＥＤランプ。
【請求項７】
前記カバー上にループが締結されている、請求項５に記載の自由な色温度変換が可能なＬＥＤランプ。
【請求項８】
前記ループの外周縁と前記カバーのフランジの内周縁との間に離隔空間部が形成されている、請求項７に記載の自由な色温度変換が可能なＬＥＤランプ。
【請求項９】
前記外側ヒートシンクのリムの下部に複数の係止顎が形成されている、請求項５に記載の自由な色温度変換が可能なＬＥＤランプ。
【請求項１０】
前記ＬＥＤ光源モジュールのＬＥＤが、白色ＬＥＤ、青色ＬＥＤ、紫色ＬＥＤ、または紫外線ＬＥＤである、請求項５に記載のＬＥＤランプ。
【請求項１１】
前記固定フィルタが、透明ガラスまたは蛍光体コーティングガラス、または蛍光体含有モールディング樹脂または蛍光体コーティング樹脂であり、前記色温度変換可動フィルタが、蛍光体含有モールディング樹脂または蛍光体コーティング樹脂である、請求項５に記載のＬＥＤランプ。
【請求項１２】
前記ＬＥＤ光源モジュールが、ＣＯＢ載置部を有するヒートシンクと、ＣＯＢと、固定フィルタと、上部カバーとから構成されている、請求項５に記載のＬＥＤランプ。
【請求項１３】
前記ヒートシンクが、リムおよびＣＯＢ載置部を有し、
前記上部カバーが、中央開口が形成された突出部およびフランジを有し、
前記突出部の外周縁部には、複数の放熱孔と、一側端が開放された開放端を有し、前記開放端から離隔するほど高さが次第に低くなり、内側上面に鋸歯部が形成されている少なくとも１つの係合孔とが形成されていて、前記色温度変換モジュールの外部ヒートシンクのリムの下部に形成される複数の係止顎が前記係合孔に嵌合し、前記鋸歯部によって強固に固定される、請求項１２に記載のＬＥＤランプ。
【請求項１４】
前記ヒートシンクが、上部カバーの固定孔を有する内向き突出部と、固定孔が形成された底部と、底板とから構成されている、請求項１３に記載のＬＥＤランプ。
【請求項１５】
前記ＬＥＤランプに、配光モジュールとしてレンズまたはリフレクタが取り付けられている、請求項１または５に記載の自由な色温度変換が可能なＬＥＤランプ。
【請求項１６】
前記ＬＥＤランプが、配光モジュールをさらに含み、
前記配光モジュールが、
中央開口を形成するシート部およびリムとウェブを有し、前記リムに隣接したウェブに複数の貫通スロットが形成された底板と；
配光部材（ｍｅｍｂｅｒ）と；
上端内周縁に固定段顎が形成され、上端部に複数の締結片が下方に長く延びて、前記複数の貫通スロットを介して前記底板に固定されることによって、前記配光部材を固定する上部固定部とから構成される、請求項５に記載のＬＥＤランプ。
【請求項１７】
前記底板のウェブの底面に、放射状に相互離隔した複数の環状突出部および係止顎が形成され、前記底板の環状突出部および係止顎が前記ループの外周縁と前記カバーのフランジの内周縁との間に形成される離隔空間部に嵌合するとともに、前記係止顎が前記ループの外周縁の内側底面に締結される、請求項１６に記載のＬＥＤランプ。
【請求項１８】
前記配光モジュールが、レンズであり、前記レンズが、全体的に断面が上広下狭の形状であって、下部に半球状凹部が形成され、上部中央部に半球状突出部を有し、前記半球状突出部の外周縁からレンズの上面の外周縁端部へいくほど高さが増加する形状に形成されている、請求項１６に記載のＬＥＤランプ。
【請求項１９】
下記のステップからなるＬＥＤランプの色温度変換方法：
（Ａ）固定フィルタが装着された一定の色温度を有するＬＥＤ光源モジュールに、色温度変換可動フィルタを有する色温度変換モジュールを組立てるステップと；
（Ｂ）前記固定フィルタに対する前記色温度変換可動フィルタのオーバーラップ（ｏｖｅｒｌａｐ）領域を漸進的に拡張または縮小することによって、所望の色温度を有する照明を実現するステップ。
【請求項２０】
前記ステップ（Ｂ）における、前記固定フィルタに対する前記色温度変換可動フィルタのオーバーラップ（ｏｖｅｒｌａｐ）領域の漸進的な拡張または縮小を、前記色温度変換可動フィルタの絞り運動によって実現する、請求項１９に記載のＬＥＤランプの色温度変換方法。
【発明の詳細な説明】
【技術分野】
【０００１】
本発明は、自由な色温度変換が可能なＬＥＤ（Ｌｉｇｈｔ  Ｅｍｉｔｔｉｎｇ  Ｄｉｏｄｅ）ランプおよびこれを用いたＬＥＤランプの色温度変換方法に関し、より詳細には、単色光または白色光ＬＥＤと、固定フィルタと、可動フィルタとから構成され、前記固定フィルタに対する前記可動フィルタのオーバーラップ（ｏｖｅｒｌａｐ）領域を漸進的および可逆的に拡張および縮小可能にすることで、使用者が雰囲気または状況に応じて所望の色温度および演色性を有する照明光を実現することのできる、自由な色温度変換が可能なＬＥＤランプおよびこれを用いたＬＥＤランプの色温度変換方法に関する。
【背景技術】
【０００２】
ＬＥＤは、光変換効率が高く、消費電力が非常に低く、寿命が半永久的で、応答速度が非常に迅速であり、小型化および軽量化に適し、ちらつきがなくて視神経の疲れが相対的に低く、耐衝撃性が大きく、放電用気体を使用せず環境に優しいなどの利点によって、今日、高級屋内外照明用および車両用などに広く用いられており、特に、従来のＬＥＤランプの一般的な問題とされていた低輝度の問題を改善した高輝度ＬＥＤが商業的規模で市販されることによって、その用途および使用先は急速に拡大する傾向にある。
【０００３】
特に、白色ＬＥＤは屋内外の高級照明用として非常に有用であるので、その使用頻度が急激に増大していて、蛍光灯による白熱電球の市場からの追い出しと同じく、近い将来に蛍光灯を代替して照明灯の大部分を占めることが予想されている。前記白色ＬＥＤは、青色ＬＥＤ、紫色ＬＥＤ、紫外線ＬＥＤなどの単色ＬＥＤチップの表面に蛍光体を直接コーティングするか、または単色ＬＥＤチップをモールディングして形成されるレンズ内に蛍光体を均質に分散させることによって、単色ＬＥＤチップによる１次発光の一部と、蛍光体によって波長変換された２次発光との混色によって白色を実現する方式が主に利用されている。
【０００４】
しかし、このような方法は、青色、紫色、または紫外線ＬＥＤの表面に直接蛍光体をコーティングするか、またはその周辺部やレンズ部に蛍光体を混合してモールディング（ｍｏｌｄｉｎｇ）する方法を使用しているため、放熱特性が低下してＬＥＤの寿命が顕著に短縮される問題がある。
【０００５】
前記のように、白色ＬＥＤは、単色ＬＥＤに特定の単一蛍光体または複数種類の組合せ蛍光体をコーティングするか、またはモールディングして、前記単色ＬＥＤから発光する１波長域の単色光を、蛍光体の励起（ｅｘｃｉｔｉｎｇ）による２波長域または３波長域の複合光に合成して補強干渉（ｃｏｍｐｌｅｍｅｎｔａｒｙ）させることによって、人間の目に白色光として認識されるようにしたものである。
【０００６】
しかし、通常、前記のようなＬＥＤの白色光は、完全な相補関係にない２または３波長の光が混合されたもので、可視光線領域の一部スペクトルのみを保有するだけであるので、演色性が通常６０〜７５程度、高い場合は７５〜８５程度で、全体的に自然光に近い、十分に満足できる程度の白色光として認識されない問題がある。
【０００７】
白色ＬＥＤ素子から放出される白色光の特性に影響を及ぼす要素としては、例えば、ＬＥＤからの放出光の強度、ＬＥＤからの放出光と蛍光体によって蛍光変換された光との組合せ適性、蛍光体の成分および含有量と蛍光体の分散状態などが挙げられ、これらの要素によって放出光は大きな影響を受け、特に、近来の温白色ＬＥＤ、冷白色ＬＥＤおよび、昼白色ＬＥＤは、蛍光体の成分および含有量を調節する多様な公知の方法によって蛍光変換された光の組合せ適性を変換させることによって得られている。
【０００８】
一方、優れた発光特性を有する白色ＬＥＤを得るためには、蛍光体が透光性マトリックス樹脂中に均質に分散しなければならないが、製造過程でマトリックス樹脂が完全に硬化する前に、比重のはるかに大きい蛍光体（蛍光体の種類に応じて異なるが、比重は約３．８〜６．０）が比重の小さい透光性マトリックス樹脂（エポキシ樹脂の場合、比重約１．１〜１．５）の下部に沈殿するため、優れた光特性を有する白色光を得ることが困難で、蛍光体の分散度を精密に制御することと、２種以上の蛍光体を混合使用する場合に全体的に均質な混合分布を達成することが決して容易でないため、良質の白色ＬＥＤ装置を製造することが容易でなく、製造の再現性も良くない問題がある。
【０００９】
また、高出力および高効率の白色ＬＥＤ照明ランプは、固有の高い発熱特性によって、光学出力特性や効率の低下および、寿命短縮と周辺部品や素子の劣化をもたらすため、ヒートシンク（ｈｅａｔ  ｓｉｎｋ）またはヒートスプレッダ（ｈｅａｔ  ｓｐｒｅａｄｅｒ）による十分な放熱が重要な問題として台頭しており、したがって、ＬＥＤ照明ランプは、放熱性向上のためにヒートシンクやヒートスプレッダを本体の外表面に露出させる一方、その大きさまたは面積を増大させる方式を採用しているものの、青色、紫色、または紫外線ＬＥＤの表面に蛍光体を直接塗布するか、またはそれに直接モールディング形成させたレンズ中に均質に混入させることによって白色光を実現する構造では、チップの放熱特性の低下によるＬＥＤチップの劣化と寿命短縮は避けられないものと認識されていた。
【００１０】
従来、色温度変換が可能なＬＥＤランプの典型的な例としては、韓国登録特許第０７２３９１２号（２００７年５月２５日登録）および韓国特許公開第２００８−００８７２４２号（２００８年１０月１日公開）が挙げられ、図３１に示しているような色温度変換ＬＥＤランプスタンド１’において、一端部にソケット１２’が形成されたスタンドヘッド１０’の底面に、色温度６，０００〜８，０００Ｋの昼光色（ｎａｔｕｒａｌ  ｗｈｉｔｅ）第１白色ＬＥＤ４ａ’と、色温度２，３００〜４，０００Ｋの温白色（ｗａｒｍ  ｗｈｉｔｅ）第２白色ＬＥＤ４ａ”とを適切な数の分散組合せ比で多数個分散配列した後、これら第１および第２ＬＥＤ４ａ’、４ａ”の点灯数の制御および入力電流値を調節することによって、使用者が所望の色温度および演色性を得られるようにしている。
【００１１】
しかし、このような従来の色温度変換が可能なＬＥＤランプは、色温度が相異なる複数種類のＬＥＤを混合配設し、特定の位置に特定の色温度のＬＥＤを選択して組立てなければならないため、その構造が複雑で組立が煩わしいだけでなく、特定の配列および位置にある所定数のＬＥＤを選択的にＯＮ／ＯＦＦ制御するとともに、入力電流値を変更させるための制御回路の導入および制御プログラムが必要になり、さらに、所望の色温度および演色性を有する照明光の選択が予め設定された断続的な値に限定されるので制限的であり、白色ＬＥＤを用いているため、前述のように、蛍光体の均質な分散制御上の困難さと単色光ＬＥＤ上にコーティングされた蛍光体による放熱性の低下による寿命短縮の問題がある。
【先行技術文献】
【特許文献】
【００１２】
【特許文献１】韓国公開特許公報第０７２３９１２号
【特許文献２】韓国公開特許公報第２００８−００８７２４２号
【発明の概要】
【発明が解決しようとする課題】
【００１３】
そこで、本発明の第一の目的は、複数の色温度を有するＬＥＤの組合せを利用することなく、特定の単一色温度を有する単色光または白色光ＬＥＤの色温度を、使用者が必要に応じて所望の色温度の白色光に簡単かつ容易に変換することができて、高い使用便宜性を有するとともに、連続的に自由な色温度変換が可能なＬＥＤランプを提供することである。
【００１４】
本発明の第二の目的は、前記第一の目的に加えて、色温度の連続的な漸進的変換によって向上した演色性（ｃｏｌｏｒ  ｒｅｎｄｅｒｉｎｇ  ｐｒｏｐｅｒｔｙ）を付与することのできるＬＥＤランプを提供することである。
【００１５】
本発明の第三の目的は、使用者が所望の色温度の白色光を実現するにあたり、複雑な構造または制御回路なしに、簡単な物理的手段によって効果的に行うことのできるＬＥＤランプを提供することである。
【００１６】
本発明の第四の目的は、選択的に、相対的に単寿命で高価な高輝度白色ＬＥＤを使用することなく、相対的に長寿命でありながら低価格の高輝度青色ＬＥＤや紫色ＬＥＤまたは紫外線ＬＥＤから簡単かつ安価に所望の色温度を有する照明用白色光を得ることができて、高い経済的効用性を有するＬＥＤランプを提供することである。
【００１７】
本発明の第五の目的は、前述の諸目的によるＬＥＤランプの色温度変換方法を提供することである。
【課題を解決するための手段】
【００１８】
上記の本発明の第一から第四の目的を円滑に達成するための、本発明の好ましい一態様（ａｓｐｅｃｔ）によれば、固定フィルタが装着された一定の色温度を有するＬＥＤ光源モジュールと；前記固定フィルタに対するオーバーラップ（ｏｖｅｒｌａｐ）領域の漸進的な可逆的拡張および縮小が可能な色温度変換可動フィルタを有する色温度変換モジュールとから構成され、前記色温度変換可動フィルタの前記固定フィルタに対するオーバーラップ領域の漸進的な拡張および縮小によって自由な色温度変換が可能なＬＥＤランプが提供される。
【００１９】
ここで、前記ＬＥＤ光源モジュールのＬＥＤは、白色ＬＥＤ、青色ＬＥＤ、紫色ＬＥＤ、または紫外線ＬＥＤである。
【００２０】
また、前記固定フィルタは、透明ガラスまたは蛍光体コーティングガラス、または蛍光体含有モールディング樹脂または蛍光体コーティング樹脂であり、前記色温度変換可動フィルタは、蛍光体含有モールディング樹脂または蛍光体コーティング樹脂である。
【００２１】
さらに、前記色温度変換可動フィルタは、複数のフィルタ片から構成される、絞り構造を有するものであってもよい。
【００２２】
上記の本発明の第一から第四の目的を円滑に達成するための、本発明の好ましい他の態様によれば、固定フィルタが装着された一定の色温度を有するＬＥＤ光源モジュールと、色温度変換モジュールとから構成され、ここで、前記色温度変換モジュールは、内側に第１中央開口を有し、外側縁に複数の環状突起が相互離隔して形成され、内側縁に複数の第１固定突起が相互離隔して形成されたウェブ（ｗｅｂ）を有する外側ヒートシンクと、相互離隔して位置する複数の環状水平突出部が形成された上部フランジと、複数の相互離隔した第２固定突起と前記複数の環状突起がそれぞれ嵌合する複数の相互離隔した環状ガイドスロットを有し、内側に第２中央開口を有する内向き枠と、前記内向き枠と前記上部フランジとを一体に連結し、内側に少なくとも１つの垂直突出顎が形成されている環状側壁とから一体に構成され、前記複数の環状水平突出部が前記リムの外部に突出して前記外側ヒートシンク内に装着される内側ヒートシンクと、一側端部に前記第１固定突起が挿入されるホールおよび連結突起をそれぞれ有する複数のフィルタ片から構成され、絞り構造を形成する色温度変換用可動フィルタと、前記複数のフィルタ片それぞれの連結突起と前記複数の第２固定突起それぞれとをリンク連結する複数のリンクと、内側に第３中央開口を有し、前記垂直突出顎が噛み合う少なくとも１つの鋸歯部が側壁の外周縁部に形成されている凹部と、前記凹部上部のフランジとを有するカバーとから構成され、前記外側ヒートシンクとカバーおよびループは、固定手段によって共に固定される一方、前記外側ヒートシンクの環状水平突出部が嵌合した前記内側ヒートシンクの環状ガイドスロットの長さ内で前記内側ヒートシンクが正逆回転運動可能であるとともに、前記内側ヒートシンクの垂直突出顎と前記カバーの鋸歯部との噛み合い移動によって内側ヒートシンクの正逆回転が微細調整可能であり、前記内側ヒートシンクの正逆微細回転による前記外側ヒートシンクの第１固定突起および前記内側ヒートシンクの第２固定突起に連結された前記複数のフィルタ片の絞り運動によって、前記ＬＥＤ光源モジュールの固定フィルタに対する前記色温度変換モジュールの色温度変換用可動フィルタのオーバーラップ（ｏｖｅｒｌａｐ）領域の漸進的な可逆的拡張および縮小によって自由な色温度変換が可能なＬＥＤランプが提供される。
【００２３】
ここで、前記カバーは、前記複数の第１固定突起がそれぞれ嵌合する複数の相互離隔した環状ガイドスロットが形成されたレール部を有し、前記レール部は、前記凹部の底面の外周縁部から下向き延長後、内向き湾曲形成されているものであってもよい。
【００２４】
また、前記カバー上にはループが締結されてもよい。
【００２５】
前記ループの外周縁と前記カバーのフランジの内周縁との間には離隔空間部が形成されていてもよい。
【００２６】
また、前記外側ヒートシンクのリムの下部には複数の係止顎が形成されてもよい。
【００２７】
一方、前記ＬＥＤ光源モジュールのＬＥＤは、白色ＬＥＤ、青色ＬＥＤ、紫色ＬＥＤ、または紫外線ＬＥＤである。
【００２８】
前記固定フィルタは、透明ガラスまたは蛍光体コーティングガラス、または蛍光体含有モールディング樹脂または蛍光体コーティング樹脂であり、前記色温度変換可動フィルタは、蛍光体含有モールディング樹脂または蛍光体コーティング樹脂である。
【００２９】
また、前記ＬＥＤ光源モジュールは、ＣＯＢ載置部を有するヒートシンクと、ＣＯＢと、固定フィルタと、上部カバーとから構成されてもよい。
【００３０】
また、前記ヒートシンクは、リムおよびＣＯＢ載置部を有し、前記上部カバーは、中央開口が形成された突出部およびフランジを有しており、前記突出部の外周縁部には、複数の放熱孔と、一側端が開放された開放端を有し、前記開放端から離隔するほど高さが次第に低くなり、内側上面に鋸歯部が形成されている少なくとも１つの係合孔とを形成して、前記色温度変換モジュールの外部ヒートシンクのリムの下部に形成される複数の係止顎が前記係合孔に嵌合し、前記鋸歯部によって強固に固定されるようにしてもよい。
【００３１】
さらに、前記ヒートシンクには、上部カバーの固定孔を有する内向き突出部と、固定孔が形成された底部と、底板とをさらに構成してもよい。また、前記ＬＥＤランプには、配光モジュールとしてレンズまたはリフレクタを取り付けてもよいことはもちろんである。
【００３２】
前記配光モジュールは、中央開口部を形成するシート部およびリムとウェブを有し、前記リムに隣接したウェブに複数の貫通スロットが形成された底板と；配光部材（ｍｅｍｂｅｒ）と；上端内周縁に固定段顎が形成され、上端部に複数の締結片が下方に長く延びて、前記複数の貫通スロットを介して前記底板に固定されることによって、前記配光部材を固定する上部固定部とから構成されてもよい。また、前記底板のウェブの底面には、放射状に相互離隔した複数の環状突出部および係止顎を形成して、前記底板の環状突出部および係止顎が前記ループの外周縁と前記カバーのフランジの内周縁との間に形成される離隔空間部に嵌合するとともに、前記係止顎が前記ループの外周縁の内側底面に締結されるようにしてもよい。
【００３３】
前記配光モジュールは、レンズであってもよく、特定には、前記レンズを、全体的に断面が上広下狭の形状であり、下部には半球状凹部、上部中央部に半球状突出部を有し、前記半球状突出部の外周縁からレンズの上面の外周縁端部へいくほど高さが増加する形状に形成してもよい。
【００３４】
上記の本発明の第五の目的を円滑に達成するための、本発明の好ましい一態様によれば、（Ａ）固定フィルタが装着された一定の色温度を有するＬＥＤ光源モジュールに、色温度変換可動フィルタを有する色温度変換モジュールを組立てるステップと；（Ｂ）前記固定フィルタに対する前記色温度変換可動フィルタのオーバーラップ（ｏｖｅｒｌａｐ）領域を漸進的に拡張または縮小することによって、所望の色温度を有する照明を実現するステップとからなるＬＥＤランプの色温度変換方法が提供される。
【００３５】
ここで、前記ステップ（Ｂ）における、前記固定フィルタに対する前記色温度変換可動フィルタのオーバーラップ（ｏｖｅｒｌａｐ）領域の漸進的な拡張または縮小を、前記色温度変換可動フィルタの絞り運動によって好ましく実現することができる。
【発明の効果】
【００３６】
本発明に係るＬＥＤランプおよびこれを用いたＬＥＤランプの色温度変換方法によれば、多様な色温度を有するＬＥＤの複雑な組合せを利用することなく、一定の単一色温度を有する単色光または白色光ＬＥＤの色温度を、ＬＥＤランプ自体の機能を利用して、使用者が必要に応じて所望の色温度の白色光に簡単かつ自由に変換することができて、高い使用便宜性を有するとともに、色温度の連続的な漸進的変換によって向上した演色性（ｃｏｌｏｒ  ｒｅｎｄｅｒｉｎｇ  ｐｒｏｐｅｒｔｙ）を付与することができ、選択的には、相対的に単寿命で高価な高輝度白色ＬＥＤを使用することなく、相対的に長寿命でありながら低価格の高輝度青色ＬＥＤや紫色ＬＥＤまたは紫外線ＬＥＤから簡単かつ安価に所望の色温度を有する照明用白色光を得ることができて、高い経済的効用性を有する。
【図面の簡単な説明】
【００３７】
【図１】本発明の色温度変換が自由なＬＥＤランプおよびその組立モジュールに対する斜視図である。
【図２】ＬＥＤ光源モジュールの斜視図である。
【図３】図２の側面図である。
【図４】図２の分解斜視図である。
【図５】色温度変換モジュールの斜視図である。
【図６】図５の下方斜視図である。
【図７】図５の分解斜視図である。
【図８】図５の平面図である。
【図９】図５の側面図である。
【図１０】図５の底面図である。
【図１１】図５の一部分解斜視図である。
【図１２】図５の一部分解下方斜視図である。
【図１３】色温度変換可動フィルタの最大開放状態の斜視図である。
【図１４】色温度変換可動フィルタの中間開放状態の斜視図である。
【図１５】色温度変換可動フィルタの密閉状態の斜視図である。
【図１６】図１３の平面図である。
【図１７】図１４の平面図である。
【図１８】図１５の平面図である。
【図１９】図１３の上部カバーの装着状態の底面図である。
【図２０】図１４の上部カバーの装着状態の底面図である。
【図２１】図１５の上部カバーの装着状態の底面図である。
【図２２】ＬＥＤ光源モジュールと色温度変換モジュールとの組立状態の説明斜視図である。
【図２３】ＬＥＤ光源モジュールと色温度変換モジュールとの組立状態の説明下方斜視図である。
【図２４】ＬＥＤ光源モジュールと色温度変換モジュールとの組立状態の説明図である。
【図２５】配光モジュールの斜視図である。
【図２６】図２５の下方斜視図である。
【図２７】配光モジュールがレンズの場合の図２５の分解斜視図である。
【図２８】配光モジュールがリフレクタの場合の分解斜視図である。
【図２９】配光モジュールの組立状態の説明斜視図である。
【図３０】配光モジュールの組立状態の説明下方斜視図である。
【図３１】従来のＬＥＤランプである。
【発明を実施するための形態】
【００３８】
以下、本発明を添付図面を参照して詳細に説明する。
【００３９】
まず、本発明の色温度変換が自由なＬＥＤランプおよびその組立モジュールに対する斜視図である図１に概略的に示しているように、本発明に係る自由な色温度変換が可能なＬＥＤランプ１は、基本的に、固定フィルタ１１を有するＬＥＤ光源モジュール１０と、色温度変換可動フィルタ２１を有する色温度変換モジュールとから構成され、選択的には、これに加えて、本発明に係る自由な色温度変換が可能なＬＥＤランプ１ａが配光モジュール３０をさらに含むものであってもよく、前記配光モジュール３０は、図１の左側に示しているようなリフレクタ（ｒｅｆｌｅｃｔｏｒ）、または右側に示しているようなレンズ（ｌｅｎｓ）であってもよい。
【００４０】
本発明に係る自由な色温度変換が可能なＬＥＤランプ１は、基本的に、固定フィルタ１１が装着されたＬＥＤ光源モジュール１０と、前記固定フィルタ１１に対するオーバーラップ（ｏｖｅｒｌａｐ）領域の漸進的な拡張および縮小が可能な色温度変換可動フィルタ２１を有する色温度変換モジュール２０とから構成され、選択的には、前記配光モジュール３０がさらに装着されてもよく、前記色温度変換可動フィルタ２１の前記固定フィルタ１１に対するオーバーラップ領域の漸進的な拡張および縮小によって自由な色温度変換が可能になる。また、本発明においては、前記色温度変換可動フィルタ２１は、複数のフィルタ片２１０から構成される絞り構造を形成する。
【００４１】
次に、本発明に係る自由な色温度変換が可能なＬＥＤランプ１のＬＥＤ光源モジュール１０について、それぞれその斜視図、側面図および、分解斜視図である図２〜図４を参照して併せて説明する。
【００４２】
図示の例においては、前記ＬＥＤ光源モジュール１０は、ＣＯＢ（Ｃｈｉｐ  ｏｎ  Ｂｏａｒｄ）載置部１２２を有するヒートシンク１２と、ＣＯＢ１３と、固定フィルタ１１と、上部カバー１４とから構成されている。ここで、前記ＬＥＤ光源モジュール１０のＣＯＢ１３上には複数のＬＥＤ（図示せず）が設けられ、前記複数のＬＥＤは、一定の色温度を有する同種類の白色ＬＥＤ、青色ＬＥＤ、紫色ＬＥＤ、または紫外線ＬＥＤであってもよいし、前記白色ＬＥＤは、例えば、５，５００〜８，０００Ｋの昼白色ＬＥＤであるか、または場合によっては３，８００〜４，８００Ｋの冷白色ＬＥＤであってもよい。
【００４３】
また、前記固定フィルタ１１は、透明ガラスまたは蛍光体コーティングガラス、または蛍光体含有モールディング樹脂または蛍光体コーティング樹脂で形成され、光励起用蛍光体は非常に多様なものが当分野で公知であるので、これに関する具体的な説明は省略する。前記ヒートシンク１２は、リム１２１およびＣＯＢ載置部１２２を有し、アルミニウムまたはマグネシウム合金のような熱伝導性に優れた金属をダイキャスティングして製造されてもよく、前記上部カバー１４は、熱可塑性または熱硬化性樹脂を射出成形して製造されてもよい。
【００４４】
図示の例においては、前記ヒートシンク１２が上部カバー１４を固定するための固定孔１２４を有する内向き突出部１２３と、固定孔（図面符号付さず）が形成された底部１２５とを有し、前記ＣＯＢ載置部１２２は、前記底部１２５から上方に突出して形成される一方、その下方は凹部（図示せず）に形成し、前記凹部を覆う底板１２７を固定手段１６で締結することができる。ＣＯＢ１３は、例えば、固定手段１７でＣＯＢ載置部１２２上に装着され、シリコンリングのような緩衝材１５を介在させて前記固定フィルタ１１が装着される。一方、前記上部カバー１４は、中央開口１４２が形成された突出部１４１およびフランジ１４３を有し、前記突出部１４１の外周縁部には、複数の放熱孔１４４と、一側端が開放された開放端１４６を有し、前記開放端１４６から離隔するほど高さが次第に低くなり、内側上面に鋸歯部１４７が形成されている少なくとも１つの係合孔１４５とが形成される。
【００４５】
前記係合孔１４５には、後述する色温度変換モジュール２０の外側ヒートシンク２２のリム２２１の下部に形成される複数の係止顎２２２が嵌合し、この時、前記鋸歯部１４７によって、前記係止顎２２２は強固に固定される。図示の例においては、前記放熱孔１４４と係合孔１４５が相互交互に位置する場合を示しているが、その数および形成位置は本発明において任意選択的であり、制限的なものではない。前記上部カバー１４および緩衝材１５によって、固定フィルタ１１は安定かつ強固に固定される。
【００４６】
前記上部カバー１４の脚部１４８にはねじ孔（図示せず）が形成されてもよく、前記ねじ孔は、ヒートシンク１２の底部１２５に形成される固定孔（図面符号付さず）を介して締結される固定手段１６によって固定され、上部カバー１４の固定孔１４９と、ヒートシンク１２の内向き突出部１２３に形成される固定孔１２４とは、別途の上方からの固定手段（図示せず）によって強固に結合されてもよい。
【００４７】
一方、本発明に係る自由な色温度変換が可能なＬＥＤランプ１の色温度変換モジュール２０を、図５〜図１２を参照して具体的に説明するが、ここで、図５〜図１０は、順にそれぞれ色温度変換モジュール２０の斜視図、下方斜視図、平面図、側面図および、底面図であり、図１０は、図５の分解斜視図であり、図１１は、一部分解斜視図であり、図１２は、一部分解下方斜視図であって、説明の便宜上併せて言及する。前記色温度変換モジュール２０の全体的な概略的構成は、外部的には、外側ヒートシンク２２と、内側ヒートシンク２３と、カバー２４と、ループ２５とからなり、内部の主要構成は、複数のフィルタ片２１０から構成される色温度変換可動フィルタ２１と、前記色温度変換可動フィルタ２１を絞り運動させるためのリンク２４と、内側ヒートシンク２３の環状水平突出部２３２などが挙げられる。
【００４８】
ここで、前記外側ヒートシンク２２、カバー２４および、ループ２５は、固定手段によって相互強固に固定されるのに対し、環状水平突出部２３２を有する内側ヒートシンク２３は、所定範囲内で複数のフィルタ片２１０から構成される色温度変換可動フィルタ２１を絞り運動させるための正逆回転が可能に構成される。また、前記ループ２５の外周縁と前記カバー２４のフランジ１５４の内周縁との間には、後述する配光モジュール３０を締結するための離隔空間部２２８を形成することができる。ここで、前記内外側ヒートシンク２２、２３は、アルミニウムまたはマグネシウム合金のような熱伝導性に優れた金属をダイキャスティングして製造されてもよく、前記カバー２４およびループ２５は、熱可塑性または熱硬化性樹脂を射出成形して製造されてもよい。
【００４９】
前記外側ヒートシンク２２は、下部に複数の係止顎２２２が形成されたリム２２１と、内側に第１中央開口２２４を有し、外側縁に複数の環状突起２２５が相互一定距離離隔して形成され、内側縁に複数の第１固定突起２２６が相互一定距離離隔して形成されたウェブ（ｗｅｂ）２２３とを有する。
【００５０】
ここで、前記リム２２１の外表面は、放熱特性向上のための凹凸面２２７に形成されてもよく、図示の例においては、垂直の微細なラウンド状放熱ピン構造となっている場合を示しているが、前記外表面の形状は本発明において制限的でない。また、図示の例においては、前記ウェブ２２３には複数の固定孔２２９を形成して、固定手段２７によるカバー２５とループ２６を固定できるようになっている。
【００５１】
一方、内側ヒートシンク２３は、前記外側ヒートシンク２２内に装着され、前記内側ヒートシンク２３は、相互一定距離離隔して位置する複数の環状水平突出部２３２が形成された上部フランジ２３１と、複数の相互一定距離離隔して位置する第２固定突起２３４と前記複数の環状突起２２５がそれぞれ嵌合する複数の相互一定距離離隔して位置する環状ガイドスロット２３５を有し、内側に第２中央開口２３６を有する内向き枠２３３と、前記内向き枠２３３と前記上部フランジ２３１とを一体に連結し、内側に少なくとも１つの垂直突出顎２３８が形成されている環状側壁２３７とから一体に構成される。
【００５２】
前記外側ヒートシンク２２のリム２２の外側に突出した前記内側ヒートシンク２３の複数の環状水平突出部２３２によって、使用者は手または他の駆動手段を用いて、内側ヒートシンク２３を固定された外側ヒートシンク２２とカバー２５に対して所定範囲内で正逆回転させることが可能になる。一方、色温度変換用可動フィルタ２１は、複数のフィルタ片２１０から構成され、それぞれのフィルタ片２１０は、一側端部に前記外側ヒートシンク２２の第１固定突起２２６が挿入されるホール２１１と、リンク２４の一端部に結合される連結突起２１２とを有し、前記複数のフィルタ片２１０は、絞り構造を形成する。
【００５３】
本発明において、前記フィルタ片２１０の数および形状は制限的でなく、任意選択的ではあるが、３〜１２個、特定には３〜８個程度に形成することができる。複数のリンク２４それぞれは、全体的に環状に形成され、一端部はフィルタ片２１０の連結突起２１２にリンク連結され、他端部は前記内側ヒートシンク２３の内向き枠２３３に形成された第２固定突起２３４にリンク連結される。前記リンク２４の数は、フィルタ片２１０の数に対応する。
【００５４】
次に、カバー２５は、内側に第３中央開口２５２を有し、内側ヒートシンク２３の垂直突出顎２３８が噛み合う少なくとも１つの鋸歯部２５３が外周縁部に形成され、上部にフランジ２５４が形成された凹部２５１と、前記凹部２５１の底面の外周縁部から下向き延長後、内向き湾曲形成され、外側ヒートシンク２２の複数の第１固定突起２２６がそれぞれ嵌合する複数の相互一定距離離隔した環状ガイドスロット２５７が形成されたレール部２５５とを有する。また、前記第３中央開口２５２の外側の凹部２５１の底には複数の固定孔２５６が形成されてもよい。
【００５５】
最後に、ループ２６には第４中央開口２６２が形成され、固定のためのねじ孔が形成された複数の脚部２６１を形成してもよい。前述のような構成要素によって構成される色温度変換モジュール２０は、前記ループ２６の脚部２６１に形成されたねじ孔（図示せず）および前記カバー２５の固定孔２５６を介して、外側ヒートシンク２２の下方からの固定手段２７によって前記ループ２６、カバー２５および、外側ヒートシンク２２が共に固定され、この時、前記内側ヒートシンク２３は、前記外側ヒートシンク２２の環状突起２２５が嵌合した前記内側ヒートシンク２３とカバー２５の環状ガイドスロット２３５、２５７の長さ範囲内で前記内側ヒートシンク２３の環状水平突出部２３２による正逆回転運動が可能に支持される。
【００５６】
前記内側ヒートシンク２３の環状水平突出部２３２の正逆回転は、外側ヒートシンク２２の第１固定突起２２６を中心として、フィルタ片２１０の連結突起２１２に一端部がリンク連結され、他端部が内側ヒートシンク２３の第２固定突起２３４にリンク連結されたリンク２４によって、複数のフィルタ片２１０による絞り運動が可能になる。
【００５７】
次に、図１３は、色温度変換可動フィルタ２１の最大開放状態の斜視図であり、図１４は、中間開放状態の斜視図であり、図１５は、密閉状態の斜視図であり、図１６〜図１８は、それぞれ図１３〜図１５の平面図であり、図１９〜図２１は、それぞれ図１３〜図１５の上部カバーの装着状態の底面図であって、色温度変換可動フィルタ２１の絞り開閉動作を説明する。たとえ、前記図１３〜図２１には、ＬＥＤ光源モジュール１０に固定された固定フィルタ１１を示していないが、固定フィルタ１１に対する色温度変換モジュール２０の色温度変換可動フィルタ２１の絞り運動によるオーバーラップ（ｏｖｅｒｌａｐ）領域の漸進的な拡張および縮小によるオーバーラップ面積の変化は、多様な蛍光体の励起（ｅｘｃｉｔａｔｉｏｎ）による色温度低下量の変化をもたらすため、ＬＥＤ光源モジュール１０からの光が色温度５，５００〜８，０００Ｋの昼白色の場合、色温度変換可動フィルタ２１の完全開放時にはこれをそのまま維持するが、中間程度の開放状態では色温度３，８００〜４，８００Ｋの冷白色に、そして、完全閉鎖時には色温度２，３００〜３，５００Ｋの温白色に色温度変換が可能であり、ＬＥＤ光源モジュール１０からの光が色温度３，８００〜４，８００Ｋの冷白色の場合、色温度変換可動フィルタ２１の完全開放時にはこれをそのまま維持するが、開放程度が小さくなるにつれて色温度はさらに下がり、完全閉鎖時には色温度２，３００〜３，５００Ｋの温白色に色温度変換が可能である。
【００５８】
一方、ＬＥＤ光源モジュール１０のＬＥＤが白色光の場合、固定フィルタ１１は、透明ガラスまたは樹脂で形成することができ、青色ＬＥＤのような単色光ＬＥＤの場合には、これを白色光源化するための蛍光体をコーティングするか、または均質に混合して成形したものであってもよい。
【００５９】
結果的に、固定フィルタ１１に対する色温度変換可動フィルタ２１の開放または閉鎖程度によるオーバーラップ面積の変化は、照明光の色温度変化をもたらし、使用者が所望の状況に応じて温白色と冷白色との混合された照明光、または冷白色と昼白色との混合された照明光、または温白色と昼白色との混合された任意の色温度を有する多様な照明光を簡単かつ容易にリアルタイムで実現できるようになる。
【００６０】
再び、図１３〜図２１に戻って説明すれば次の通りである。色温度変換可動フィルタ２１の完全開放状態を示す図１３、図１６および、図１９では、外側ヒートシンク２２の環状突起２２５がストッパとして機能して、内側ヒートシンク２３の環状ガイドスロット２３５の一端に接して位置するため、内側ヒートシンク２３の時計方向へのそれ以上の回転は不可能な状態になる。
【００６１】
この状態では、フィルタ片２１０の連結突起２１２に一端部がリンク連結され、他端部が内側ヒートシンク２３の第２固定突起２３４にリンク連結されたリンク２４は、内側ヒートシンク２３の内向き枠２３３に形成された湾入部（図面符号付さず）内に載置され、内側ヒートシンク２３の内周縁と略同一方向を維持する。
【００６２】
次に、使用者が手または他の駆動手段を用いて、内側ヒートシンク２３の環状水平突出部２３２を反時計方向に若干回転させた、色温度変換可動フィルタ２１の中間程度の開放状態を示す図１４、図１７および、図２０では、外側ヒートシンク２２の環状突起２２５が内側ヒートシンク２３の環状ガイドスロット２３５の中間部分に位置する。
【００６３】
この状態では、内側ヒートシンク２３の第２固定突起２３４に一端部が連結されたリンク２４が反時計方向に移動するに伴って、回転中心軸として作用する外側ヒートシンク２２の第１固定突起２２６を中心として、フィルタ片２１０は若干内側に回転移動し、それに伴って、フィルタ片２１０の連結突起２１２も内側ヒートシンク２３の中心に向かって若干移動するため、結果的に、連結突起２１２に連結されたリンク２４の一端部も若干内側に回転した状態になる。
【００６４】
この状態で、使用者が手または他の駆動手段を用いて、内側ヒートシンク２３の環状水平突出部２３２を反時計方向にさらに回転させた状態を示す、色温度変換可動フィルタ２１の完全閉鎖状態を示す図１５、図１８および、図２１では、外側ヒートシンク２２の環状突起２２５がストッパとして機能して、内側ヒートシンク２３の環状ガイドスロット２３５の他端に接して位置するため、内側ヒートシンク２３の反時計方向へのそれ以上の回転は不可能な状態になり、以降は開放のための時計方向への回転のみが可能になる。
【００６５】
この状態では、内側ヒートシンク２３の第２固定突起２３４に一端部が連結されたリンク２４が反時計方向にさらに移動するに伴って、回転中心軸として作用する外側ヒートシンク２２の第１固定突起２２６を中心として、フィルタ片２１０は内側にさらに回転移動して、連結突起２１２に連結されたリンク２４の一端部は内側に最大に回転した状態になり、複数のフィルタ片２１０は相互接する状態で閉鎖される。
【００６６】
完全閉鎖状態では、それ以上反時計方向への回転は不可能になるため、以降は時計方向への回転による開放が可能になり、その順序は上記で説明したのと逆の順である。次に、図２２〜図２４は、それぞれＬＥＤ光源モジュール１０と色温度変換モジュール２０との組立状態の説明斜視図、組立状態の説明下方斜視図および、組立状態の説明図であって、説明の便宜上併せて言及する。
【００６７】
前述のように、ＬＥＤ光源モジュール１０の上部カバー１４には、一側端に開放端１４６を有し、前記開放端１４６から離隔するほど高さが次第に低くなり、内側上面に鋸歯部１４７が形成されている少なくとも１つの係合孔１４５が形成されているため、外側ヒートシンク２２のリム２２１の下部に形成される係止顎２２２を前記開放端１４６に位置させた後、外側ヒートシンク２２を回転させると、前記鋸歯部１４７によって係止顎２２２が強固に固定され、これによって、前記ＬＥＤ光源モジュール１０と色温度変換モジュール２０とは相互強固に固定可能になる。
【００６８】
次に、本発明における選択的構成要素の配光モジュール３０について、図２５〜図３０を参照して具体的に説明する。ここで、図２５および図２６は、それぞれ配光モジュール３０の斜視図および下方斜視図であり、図２７および図２８は、それぞれ配光モジュール３０がレンズおよびリフレクタの場合に対する分解斜視図であり、図２９および図３０は、それぞれ配光モジュール３０の組立状態の説明斜視図および組立状態の説明下方斜視図である。
【００６９】
配光モジュール３０は、底板３１と、配光部材（ｍｅｍｂｅｒ）３２と、上部固定部３３とから構成され、前記底板３１および上部固定部３３は制限的なものではないが、熱可塑性または熱硬化性樹脂で射出成形によって製造されてもよい。ここで、前記底板３１は、中央開口３１４を形成するシート部３１１およびリム３１２とウェブ３１３から構成され、前記リム３１２に隣接したウェブ３１３には複数の貫通スロット３１５が形成されており、前記ウェブ３１３の底面には放射状に相互離隔した複数の環状突出部３１６および係止顎３１７が形成される。
また、前記配光部材３２がレンズまたはリフレクタであってもよいことは前述の通りである。
【００７０】
一方、上部固定部３３は、上端内周縁に固定段顎３３１が形成され、上端部に複数の締結片３３２が下方に長く延びて、前記底板３１に形成されている貫通スロット３１５を介して前記底板３１に締結されることによって、前記配光部材３２は強固に固定される。前記配光モジュール３０がレンズの場合、前記レンズの形状は本発明において制限的なものではないが、特定には、全体的に断面が上広下狭の形状であって、下部に半球状凹部が形成され、上部中央部に半球状突出部３２１を有し、上面の形態が前記半球状突出部３２１の外周縁からレンズの上面の外周縁端部へいくほど高さが増加する形状の環状凹面３２２に形成されていてもよい。
【００７１】
ＬＥＤ光源モジュール１０と色温度変換モジュール２０とから構成される本発明のＬＥＤランプ１に対する配光部材３０の結合は、配光部材３０の底板３１に形成される環状突出部３１６および係止顎３１７が、色温度変換モジュール２０のループ２６の外周縁とカバー２５のフランジ２５４の内周縁との間に形成される離隔空間部２２８に嵌合するとともに、前記係止顎３１７は、前記ループ２６の外周縁の内側底面に締結されることによって、配光部材３０が結合された本発明のＬＥＤランプ１ａ（図１参照）が形成される。
【００７２】
次に、本発明に係るＬＥＤランプの色温度変換方法について簡略に説明する。本発明に係るＬＥＤランプの色温度変換方法は下記のステップからなる。（Ａ）ＬＥＤ光源モジュールと色温度変換モジュールとの組立ステップは、固定フィルタ１１が装着された一定の色温度を有するＬＥＤ光源モジュール１０に、色温度変換可動フィルタ２１を有する色温度変換モジュール２０を組立てる。（Ｂ）色温度変換ステップは、前記固定フィルタ１１に対する前記色温度変換可動フィルタ２１のオーバーラップ（ｏｖｅｒｌａｐ）領域を漸進的に拡張または縮小することによって、所望の色温度を有する照明を実現する。
【００７３】
ここで、前記ステップ（Ｂ）における、前記固定フィルタ１１に対する前記色温度変換可動フィルタ２１のオーバーラップ（ｏｖｅｒｌａｐ）領域の漸進的な拡張または縮小は、前記色温度変換可動フィルタ２１の絞り運動によって実現される。
【産業上の利用可能性】
【００７４】
上記の本発明に係る自由な色温度変換が可能なＬＥＤランプおよびＬＥＤランプの色温度変換方法は、多様な色温度を有するＬＥＤの複雑な組合せを利用することなく、一定の単一色温度を有する単色光または白色光ＬＥＤの色温度を、ＬＥＤランプ自体の機能を利用して、使用者が必要に応じて所望の色温度および演色性を有する白色光に簡単かつ自由に変換することができて、高い使用便宜性および経済的効用性を有するため、一般住居用および商業用照明灯、車両用室内灯、スタジオ照明灯のような多様な種類および場所の照明に効果的に適用可能である。
【符号の説明】
【００７５】
１、１ａ：本発明に係る色温度変換可能なＬＥＤランプ
１０：ＬＥＤ光源モジュール
１１：固定フィルタ
１２：ヒートシンク
１２１：リム
１２２：ＣＯＢ載置部
１２３：内向き突出部
１２４：固定孔
１２５：底部
１２７：底板
１３：ＣＯＢ（Ｃｈｉｐ  ｏｎ  Ｂｏａｒｄ）
１４：上部カバー
１４１：突出部
１４２：中央開口
１４３：フランジ
１４４：放熱孔
１４５：係合孔
１４６：開放端
１４７：鋸歯部
１４８：脚部
１４９：固定孔
１５：緩衝材
１６、１７：固定手段
２０：色温度変換モジュール
２１：色温度変換可動フィルタ
２１０：フィルタ片
２１１：ホール
２１２：連結突起
２２：外側ヒートシンク
２２１：リム
２２２：係止顎
２２３：ウェブ
２２４：第１中央開口
２２５：環状突起
２２６：第１固定突起
２２７：凹凸面
２２８：離隔空間部
２２９：固定孔
２３：内側ヒートシンク
２３１：上部フランジ
２３２：環状水平突出部
２３３：内向き枠
２３４：第２固定突起
２３５：環状ガイドスロット
２３６：第２中央開口
２３７：環状側壁
２３８：垂直突出顎
２４：リンク
２５：カバー
２５１：凹部
２５２：第３中央開口
２５３：鋸歯部
２５４：フランジ
２５５：レール部
２５６：固定孔
２５７：環状ガイドスロット
２６：ループ
２６１：脚部
２６２：第４中央開口
２７：固定手段
３０：配光モジュール
３１：底板
３１１：シート部
３１２：リム
３１３：ウェブ
３１４：中央開口
３１５：貫通スロット
３１６：環状突出部
３１７：係止顎
３２：配光部材
３２１：半球状突出部
３２２：環状凹面
３３：上部固定部
３３１：固定段顎
３３２：締結片
４０：固定手段
【図１】
2017526148.tif 000003
【図２】
2017526148.tif 000004
【図３】
2017526148.tif 000005
【図４】
2017526148.tif 000006
【図５】
2017526148.tif 000007
【図６】
2017526148.tif 000008
【図７】
2017526148.tif 000009
【図８】
2017526148.tif 000010
【図９】
2017526148.tif 000011
【図１０】
2017526148.tif 000012
【図１１】
2017526148.tif 000013
【図１２】
2017526148.tif 000014
【図１３】
2017526148.tif 000015
【図１４】
2017526148.tif 000016
【図１５】
2017526148.tif 000017
【図１６】
2017526148.tif 000018
【図１７】
2017526148.tif 000019
【図１８】
2017526148.tif 000020
【図１９】
2017526148.tif 000021
【図２０】
2017526148.tif 000022
【図２１】
2017526148.tif 000023
【図２２】
2017526148.tif 000024
【図２３】
2017526148.tif 000025
【図２４】
2017526148.tif 000026
【図２５】
2017526148.tif 000027
【図２６】
2017526148.tif 000028
【図２７】
2017526148.tif 000029
【図２８】
2017526148.tif 000030
【図２９】
2017526148.tif 000031
【図３０】
2017526148.tif 000032
【図３１】
2017526148.tif 000033
【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
固定フィルタが装着された一定の色温度を有するＬＥＤ光源モジュールと、
色温度変換モジュールとから構成され、
ここで、前記色温度変換モジュールは、
下部に複数の係止顎が形成されたリムと内側に第１中央開口とを有し、外側縁に複数の環状突起が相互離隔して形成され、内側縁に複数の第１固定突起が相互離隔して形成されたウェブ（ｗｅｂ）を有する
外側ヒートシンクと、
相互離隔して位置する複数の環状水平突出部が形成された上部フランジと、複数の相互離隔した第２固定突起と前記複数の環状突起がそれぞれ嵌合する複数の相互離隔した環状ガイドスロットを有し、内側に第２中央開口を有する内向き枠と、前記内向き枠と前記上部フランジとを一体に連結し、内側に少なくとも１つの垂直突出顎が形成されている環状側壁とから一体に構成され、前記複数の環状水平突出部が前記リムの外部に突出して前記外側ヒートシンク内に装着される内側ヒートシンクと、
一側端部に前記第１固定突起が挿入されるホールおよび連結突起をそれぞれ有する複数のフィルタ片から構成され、絞り構造を形成する色温度変換用可動フィルタと、
前記複数のフィルタ片それぞれの連結突起と前記複数の第２固定突起それぞれとをリンク連結する複数のリンクと、
内側に第３中央開口を有し、前記垂直突出顎が噛み合う少なくとも１つの鋸歯部が側壁の外周縁部に形成されている凹部と、前記凹部上部のフランジとを有するカバーとから構成され、
前記外側ヒートシンクとカバーおよびループは、固定手段によって共に固定される一方、
前記外側ヒートシンクの環状水平突出部が嵌合した前記内側ヒートシンクの環状ガイドスロットの長さ内で前記内側ヒートシンクが正逆回転運動可能であるとともに、
前記内側ヒートシンクの垂直突出顎と前記カバーの鋸歯部との噛み合い移動によって内側ヒートシンクの正逆回転が微細調整可能であり、
前記内側ヒートシンクの正逆微細回転による前記外側ヒートシンクの第１固定突起および前記内側ヒートシンクの第２固定突起に連結された前記複数のフィルタ片の絞り運動によって、前記ＬＥＤ光源モジュールの固定フィルタに対する前記色温度変換モジュールの色温度変換用可動フィルタのオーバーラップ（ｏｖｅｒｌａｐ）領域の漸進的な可逆的拡張および縮小によって自由な色温度変換が可能なＬＥＤランプ。
【請求項２】
前記カバーが、前記複数の第１固定突起がそれぞれ嵌合する複数の相互離隔した環状ガイドスロットが形成されたレール部を有し、前記レール部は、前記凹部の底面の外周縁部から下向き延長後、内向き湾曲形成されている、請求項１に記載の自由な色温度変換が可能なＬＥＤランプ。
【請求項３】
前記カバー上にループが締結されている、請求項１に記載の自由な色温度変換が可能なＬＥＤランプ。
【請求項４】
前記ループの外周縁と前記カバーのフランジの内周縁との間に離隔空間部が形成されている、請求項３に記載の自由な色温度変換が可能なＬＥＤランプ。
【請求項５】
前記ＬＥＤ光源モジュールのＬＥＤが、白色ＬＥＤ、青色ＬＥＤ、紫色ＬＥＤ、または紫外線ＬＥＤである、請求項１に記載のＬＥＤランプ。
【請求項６】
前記固定フィルタが、透明ガラスまたは蛍光体コーティングガラス、または蛍光体含有モールディング樹脂または蛍光体コーティング樹脂であり、前記色温度変換可動フィルタが、蛍光体含有モールディング樹脂または蛍光体コーティング樹脂である、請求項１に記載のＬＥＤランプ。
【請求項７】
前記ＬＥＤ光源モジュールが、ＣＯＢ載置部を有するヒートシンクと、ＣＯＢと、固定フィルタと、上部カバーとから構成されている、請求項１に記載のＬＥＤランプ。
【請求項８】
前記ヒートシンクが、リムにより形成されたＣＯＢ載置部を有し、
前記上部カバーが、中央開口が形成された突出部およびフランジを有し、
前記突出部の外周縁部には、複数の放熱孔と、一側端が開放された開放端を有し、前記開放端から離隔するほど高さが次第に低くなり、内側上面に鋸歯部が形成されている少なくとも１つの係合孔とが形成されていて、前記色温度変換モジュールの外部ヒートシンクのリムの下部に形成される複数の係止顎が前記係合孔に嵌合し、前記鋸歯部によって強固に固定される、請求項７に記載のＬＥＤランプ。
【請求項９】
前記ヒートシンクが、上部カバーの固定孔を有する内向き突出部と、固定孔が形成された底部と、底板とから構成されている、請求項８に記載のＬＥＤランプ。
【請求項１０】
前記ＬＥＤランプが、配光モジュールをさらに含み、
前記配光モジュールが、
中央開口を形成するシート部およびリムとウェブを有し、前記リムに隣接したウェブに複数の貫通スロットが形成された底板と、
配光部材（ｍｅｍｂｅｒ）と、
上端内周縁に固定段顎が形成され、上端部に複数の締結片が下方に長く延びて、前記複数の貫通スロットを介して前記底板に固定されることによって、前記配光部材を固定する上部固定部とから構成される、請求項１に記載のＬＥＤランプ。
【請求項１１】
前記配光モジュールが、レンズであり、前記レンズが、全体的に断面が上広下狭の形状であって、下部に半球状凹部が形成され、上部中央部に半球状突出部を有し、前記半球状突出部の外周縁からレンズの上面の外周縁端部へいくほど高さが増加する形状に形成されている、請求項１０に記載のＬＥＤランプ。
【国際調査報告】
2017526148.tif 000034
2017526148.tif 000035
2017526148.tif 000036
2017526148.tif 000037